(57)【要約】【課題】履物の内部に備えられている内部空間部と、内部空間部と履物の外部とを連通する笛孔とを備えていて、履物が踏みつけられることにより笛孔を介して内部空間部内の空気が外部に放出され、履物が踏みつけられていた状態が解放されることにより笛孔を介して外部から内部空間部内に空気が吸入されることによって音を発生する履物からの音の発生を履物を履いている者の意思によって任意に制御する。【解決手段】履物の外壁に溝条が刻設されており、溝条の中間部分に溝条に装入される紐条体の基端が取り付けられている。紐条体の基端が取り付けられている溝条の中間部分によって区分される溝条の一方の側と他方の側とにおける一方の側の溝条の先端側に笛孔が連通して開口している。紐条体を溝条の一方の側に装入することにより笛孔の開口が閉鎖され、紐条体を溝条の他方の側に装入することにより笛孔の開口が開放される。【選択図】図１
2011147624.tif 000002
【特許請求の範囲】
【請求項１】
履物の内部に備えられている内部空間部と、当該内部空間部と履物の外部とを連通する笛孔とを備えていて、履物が踏みつけられることにより、前記笛孔を介して内部空間部内の空気が外部に放出され、履物が踏みつけられていた状態が解放されることにより前記笛孔を介して外部から内部空間部内に空気が吸入されることによって音を発生する履物において、
前記履物の外壁に溝条が刻設されており、
前記溝条の中間部分に前記溝条に装入される紐条体の基端が取り付けられていて、
前記紐条体の基端が取り付けられている前記溝条の中間部分によって区分される前記溝条の一方の側と他方の側とにおける当該一方の側の溝条の先端側に前記笛孔が連通して開口しており、
前記紐条体を前記溝条の前記一方の側に装入することにより前記笛孔の開口が閉鎖され、
前記紐条体を前記溝条の前記他方の側に装入することにより前記笛孔の開口が開放される
ことを特徴とする履物。
【発明の詳細な説明】
【技術分野】
【０００１】
この発明は、履物の内部に備えられている内部空間部と、当該内部空間部と履物の外部とを連通する笛孔とを備えていて、履物が踏みつけられることにより前記笛孔を介して内部空間部内の空気が外部に放出され、履物が踏みつけられていた状態が解放されることにより前記笛孔を介して外部から内部空間部内に空気が吸入されることによって音を発生する履物に関する。特に、前記の履物において音の発生を使用者が任意に制御できる履物に関する。
【背景技術】
【０００２】
履物の内部に備えられている内部空間部と、当該内部空間部と履物の外部とを連通する笛孔とを備えていて、履物が踏みつけられることにより前記笛孔を介して内部空間部内の空気が外部に放出され、履物が踏みつけられていた状態が解放されることにより前記笛孔を介して外部から内部空間部内に空気が吸入されることによって音を発生する履物については従来から種々の提案がされている（例えば、特許文献１）
しかし、従来から知られていた前記のような履物において、音の発生を使用者の意思により、任意に制御する提案は従来存在しなかった。
【先行技術文献】
【特許文献】
【０００３】
【特許文献１】実開昭４７−１３６２号公報
【発明の概要】
【発明が解決しようとする課題】
【０００４】
この発明は、空気圧を利用して笛音を出す履物において、音の発生を使用者の意思により任意に制御可能にすることを目的にしている。
【課題を解決するための手段】
【０００５】
前記課題を解決するため、この発明が提案する履物は以下の通りのものである。
【０００６】
請求項１記載の発明は、
履物の内部に備えられている内部空間部と、当該内部空間部と履物の外部とを連通する笛孔とを備えていて、履物が踏みつけられることにより、前記笛孔を介して前記内部空間部内の空気が外部に放出され、履物が踏みつけられていた状態が解放されることにより前記笛孔を介して外部から前記内部空間部内に空気が吸入されることによって音を発生する履物において、
前記履物の外壁に溝条が刻設されており、
前記溝条の中間部分に前記溝条に装入される紐条体の基端が取り付けられていて、
前記紐条体の基端が取り付けられている前記溝条の中間部分によって区分される前記溝条の一方の側と他方の側とにおける当該一方の側の溝条の先端側に前記笛孔が連通して開口しており、
前記紐条体を前記溝条の前記一方の側に装入することにより前記笛孔の開口が閉鎖され、
前記紐条体を前記溝条の前記他方の側に装入することにより前記笛孔の開口が開放される
ことを特徴とする履物である。
【発明の効果】
【０００７】
この発明によれば、空気圧を利用して笛音を出す履物において、音の発生を使用者の意思により任意に制御することが可能になる。しかも、このような制御を極めて簡単な構造、低コストで実現することができる。
【０００８】
これにより、履物を履いている子供などが公園などのように音を発生しても良い場所では自由に音を発生させ、静かにすることが要求される図書館などにおいては簡単に音が出ないようにすることができる。
【図面の簡単な説明】
【０００９】
【図１】（ａ）は、音の発生が抑制されているときの本発明の履物の一例を説明する一部を省略した断面図、（ｂ）は、音の発生が可能になっているときの本発明の履物の一例を説明する一部を省略した断面図。
【図２】（ａ）は、音の発生が可能になっているときの本発明の履物における笛孔の周囲の一例を説明する斜視図、（ｂ）は、音の発生が抑制されているときの本発明の履物における笛孔の周囲の一例を説明する斜視図。
【発明を実施するための形態】
【００１０】
以下、添付図面を参照して本発明の好ましい実施形態を説明する。
【００１１】
本発明の履物１は内部に内部空間部２を備えている。また、内部空間部２と履物１の外部とを連通する笛孔３を備えている。
【００１２】
履物１が踏みつけられることにより、図１（ａ）、（ｂ）中、矢印４で示す方向から内部空間部２が圧縮される。これによって、笛孔３を介して内部空間部２内の空気が矢印６で示すように外部に放出される。一方、履物１が踏みつけられていた状態が解放されることにより、矢印５で示すように、内部空間部２の圧縮状態が解放される。これによって、笛孔３を介して履物１の外部から内部空間部２内に矢印７で示すように空気が吸入される。履物１は、このように、笛孔３を介しての内部空間部２内への履物１外部からの空気の流入、内部空間部２内から履物１外部への空気の放出という空気圧の利用によって音を発生するものである。
【００１３】
本発明の履物１の外壁２０には溝条９が刻設されている（図２（ａ）、図２（ｂ））。この溝条９の中間部分に溝条９に装入される紐条体８の基端８ｂが取り付けられており、紐条体８の基端８ｂが取り付けられている溝条９の中間部分によって溝条９の一方の側９ａと溝条９の他方の側９ｂとが区分されている。
【００１４】
笛孔３は溝条９の一方の側９ａにおける溝条９の先端側に連通して開口している（図２（ａ））。
【００１５】
紐条体８を、図２（ｂ）図示のように、溝条９の一方の側９ａに装入することにより笛孔３の開口が閉鎖される（図１（ａ））。この状態では、履物１に矢印４方向の力が加えられて内部空間２が圧縮されても笛孔３を介して内部空間部２内の空気が外部に放出されることはなく、また、矢印５で示すように、内部空間部２の圧縮状態が解放されても笛孔３を介して履物１の外部から内部空間部２内に空気が吸入されることがなくなる。そこで、笛孔３を介した空気の放出、吸入による履物１からの音の発生はなくなる。
【００１６】
一方、紐条体８を、溝条９の他方の側９ｂに装入することにより、図２（ａ）図示のように、笛孔３の開口が開放される（図１（ｂ））。この状態では、履物１に矢印４方向の力が加えられて内部空間２が圧縮されると、笛孔３を介して矢印６のように内部空間部２内の空気が外部に放出され、また、矢印５で示すように、内部空間部２の圧縮状態が解放されると、矢印７で示すように、笛孔３を介して履物１の外部から内部空間部２内に空気が吸入される。これによって、笛孔３を介した空気の放出、吸入により、履物１から音を発生させることができる。
【００１７】
紐条体８は溝条９に装入されるものであるので、溝条９の一方の側９ａ、溝条９の他方の側９ｂのどちらに紐条体８が装入される場合であっても、図１（ａ）図示のように、溝条９の外側に紐条体８が突出することはなく、履物１から音が発生可能な時でも、履物１からの音の発生が抑制されているときでも紐条体８の先端８ａ側が履物１の外壁２０より外側において自由解放状態になる事態は生じない。そこで、図２（ａ）、図１（ｂ）図示のように、紐条体８を、溝条９の他方の側９ｂに装入し、笛孔３の開口を開放して履物１から音が発生するようにして遊んでいるような場合にも、紐条体８が邪魔になることはない。
【００１８】
紐条体８は、上述したように、溝条９の中間部分に取り付けられている基端８ｂを支点として、図２（ｂ）、図１（ａ）図示のように、溝条９の一方の側９ａに装入される、あるいは、図２（ａ）、図１（ｂ）図示のように、溝条９の他方の側９ｂに装入されることを可能にするものであれば、種々の材質、部材により構成することができる。例えば、合成樹脂製にすることができる。
【００１９】
この結果、本発明の履物１によれば、履物１を履いている子供などが公園などのように音を発生しても良い場所では自由に音を発生させ、静かにすることが要求される図書館などにおいては笛孔３の開口を塞いで音が出ないようにすることができる。
【００２０】
本発明によれば、履物１の内部に備えられている内部空間部２及び、内部空間部２と履物１の外部を連通する笛孔３を備えていて、履物１が踏みつけられることにより笛孔３を介して内部空間部２内の空気が外部に放出され、履物１が踏みつけられていた状態が解放されることにより笛孔３を介して外部から内部空間部２内に空気が吸入されることによって音を発生する従来公知の履物に対して、履物１の外壁２０に溝条９を刻設し、溝条９に装入される紐条体８の基端８ｂを溝条９の中間部分に取り付け、紐条体８の基端８ｂが取り付けられている溝条９の中間部分によって区分される溝条９の一方の側９ａにおける溝条９の先端側に笛孔９連通させて開口させるという簡単な構成で、音の発生を、履物１を履いている者の意思で自由に制御することが可能になる。
【００２１】
しかも、紐条体８は合成樹脂で形成することができ、低コストでこのような改良を行うことができる。
【００２２】
なお、本発明の履物１において、図２（ａ）、（ｂ）図示のように、溝条９の両端に幅広部１０ａ、１０ｂを形成しておき、紐条体８が溝条９に装入された際に、紐条体８の先端８ａがこの幅広部１０ａ、１０ｂに装入されるようにすることができる。このようにすれば、図２（ａ）図示の状態から図２（ｂ）図示の状態に、あるいはその反対にするときに、幅広部１０ａ、１０ｂ内に存在している紐条体８の先端８ａを摘まんで移動させることができるので有利である。
【００２３】
以上、添付図面を参照して本発明の好ましい実施形態を説明したが、本発明はかかる実施形態に限定されるものではなく、特許請求の範囲の記載から把握される技術的範囲において種々の形態に変更可能である。
【符号の説明】
【００２４】
１    履物
２    内部空間部
３    笛孔
８    紐条体
９    溝条
２０  履物の外壁部
【図１】
2011147624.tif 000003
【図２】
2011147624.tif 000004